(57)【要約】【目的】落下等における耐衝撃性に優れ、しかも、容器の自立性という本来要求されるべき機能に優れる自立袋を提供する。【構成】一対の平面部と、折り襞状に内方に折り込まれた２つの側面部とを有する筒状の袋本体部と、この袋本体部の一方の口部を封止する底部形成シートとを備える自立袋であって、前記一対の平面部と前記２つの側面部とをそれぞれ別体の部材で構成し、これら平面部並びに側面部を構成する各部材の側縁同士を互いに貼り合わせ、自立袋として形成された際、この自立袋の４隅に対応する位置に貼り合わせ部を形成する。【選択図】図９
2006036367.tif 000002
【特許請求の範囲】
【請求項１】
袋の前側と後ろ側を構成する対向する一対の平面部と、これら平面部の間に介在し、折り線が袋の内方に折り込まれて折り襞状一対の側面部とからなる袋本体部を有し、この袋本体部の一方の口部を底面部で閉鎖する自立袋であって、
前記袋本体部を一枚の包材を折り曲げ、その端縁同士を合掌貼りし、折り曲げて形成した前記平面部と前記側面部との境界部を熱融着すると共に、前記袋本体と前記底面部との境界部を熱融着して形成したことを特徴とする自立袋。
【請求項２】
前記底面部は、前記袋本体部と別体の四角形状のシート材からなり、この四角形状のシート材の周縁が前記袋本体の一方の口部に熱融着されていることを特徴とする請求項１に記載の自立袋。
【発明の詳細な説明】
【技術分野】
【０００１】
本発明は、自立袋、特に内容物を収納した製品形態で底部が広がり、包装袋そのものが自立可能になる自立袋に関する。
【背景技術】
【０００２】
従来、プラッスチックフィルムからなるスタンディング袋で代表的なものとしては、特許文献１に示すスタンディング袋がある。この特許文献１に示すスタンディング袋の自立性をより良くする際には、例えば、本願の図１１に示すように底部への底材を固着させるのが一般的である。図１１に示される従来の袋１００は、袋本体１１０と、折り込まれた底材シート１２０を備え、袋本体１１０とシート１２０の融着部分１２１は、円弧状になされており、袋本体１１０を形成する２枚のシート部分の合わせ目１１１と融着部分１２１とが接合する部分は２つの点Ｑ，Ｑ（以下、単に固定点Ｑ，Ｑという）にそれぞれ集結している。
【０００３】
【特許文献１】実開昭６０−１７９６３９号公報
【発明の開示】
【発明が解決しようとする課題】
【０００４】
このように固定点Ｑ，Ｑを有するものでは、袋の落下時に、固定点Ｑ，Ｑに応力が集中し、この部分から破袋が生じやすいという問題がある。この問題を回避するためには、強靭性の高い薄いフィルムを袋材質として用いればよいが、こんどは、フィルムの腰が弱くなりすぎて、容器の自立性という本来要求されるべき機能が損なわれる。
【０００５】
本発明はかかる実情に鑑みて創案されたものであって、その目的は、落下等における耐衝撃性に優れ、しかも、容器の自立性という本来要求されるべき機能に優れる自立袋およびその製造方法を提供することにある。
【課題を解決するための手段】
【０００６】
本発明では上記課題を解決するために、袋の前側と後ろ側を構成する対向する一対の平面部と、これら平面部の間に介在し、折り線が袋の内方に折り込まれて折り襞状一対の側面部とからなる袋本体部を有し、この袋本体部の一方の口部を底面部で閉鎖する自立袋であって、前記袋本体部を一枚の包材を折り曲げ、その端縁同士を合掌貼りし、折り曲げて形成した前記平面部と前記側面部との境界部を熱融着すると共に、前記袋本体と前記底面部との境界部を熱融着して形成した自立袋を採用した。
【０００７】
また、本発明では、上記自立袋において、前記底面部は、前記袋本体部と別体の四角形状のシート材からなり、この四角形状のシート材の周縁が前記袋本体の一方の口部に熱融着されていることを特徴としている。
【発明の効果】
【０００８】
一枚の包材を折り曲げて平面部と側面部とを有する袋本体部を形成し、かつ、この袋本体部の口部に底部形成シートの周縁を貼り合わせて自立袋を形成する。そして、平面部と側面との境界部を熱融着しているで、こしがあり自立性に優れる。
【発明を実施するための最良の形態】
【０００９】
以下、本発明の実施の形態について図面を参照しながら説明する。
【００１０】
本発明の自立袋１は、図９に示されるように袋の前側と後ろ側を構成する対向する一対の平面部１１，１１と、折り襞状に内方に折り込まれた折り線２３，２３を備えるように形成された２つの側面２１，２１とを有する筒状の袋本体部１０と、この袋本体部１０の一方の口部１０ａを封止する底部形成シート３０とを備えている。
【００１１】
前記袋本体部１０は、前記一方の口部１０ａを一旦開くために開口端から外方に２つの側面の折り線を、もとの折り方向とは逆に折り曲げて引き出すようにして形成された開き面を有し、該開き面の上に四角状の底部形成シートが、その周縁全周に亘って熱シール部３０ａを形成するように融着されている。なお、図９に示される自立袋は、その折り線２３，２３がなくなる程度にまだ開く余地があり、図９の状態は袋としてはまだ完全に開ききっていない。このような本発明の自立袋１は、以下の製造工程を説明することによって、より明瞭になる。
【００１２】
まず、図１に示されるように袋の前側と後ろ側を構成する対向する一対の平面部１１，１１と、折り襞状に内方に折り込まれた折り線２３，２３を備えるように形成された２つの側面２１，２１を有する筒状の袋本体部１０を用意する。この筒状の袋本体部１０は、通常、同一材質の包材を用いて、いわゆる合掌貼り法で形成されるが、後述するように貼り合せで行ってもよい。
【００１３】
次いで、図２に示されるようにこの袋本体部１０の口部端部の４隅の位置、すなわち袋本体部１０の平面部１１，１１と側面２１，２１の接合部の上端部から、それぞれ、内方へ所定の距離まで切り込み１５，１５，１５，１５を入れる。これらの切り込みは、略同一深さとされる。この切り込みは、製袋作業を容易にするため、および後述の切り取り作業により製品形状を整えるために特に有効である。
【００１４】
次いで、図３に示されるように、袋本体部の口部を開くために２つの側面２１，２１の折り線２３，２３の任意の一点Ｐ，Ｐをそれぞれ基点とし、該基点Ｐ，Ｐから折り線の口部端Ｈ，Ｈまでの折り線２３，２３をもとの折り方向とは逆に折り曲げて、逆の折り目２３ａ，２３ａとなるように引き出しつつ折り込む。この折り込みによって、必然的に、袋本体部の４隅（この場合、４隅に切り込み１５，１５，１５，１５を入れているのでこの切り込みの４つの末端部Ｄ）から基点Ｐ，Ｐまでを結ぶ線は、袋の内側に凸となる４つの稜線１７として形成される（図４）。この際、袋の内側が表出した開き面１１ａ，１１ａ，２１ａ，２１ａが形成される。なお、本実施例では図４に示される線分ＧＨの長さが折り込み長さＬ１の長さと同じになるように基点Ｐを定めている。この開き面は、本実施例では、後述する底部形成シート３０との組み合せの関係から完全に開ききった形状とせず、１８０度以内の一定の折り込み角度θ１を保っている。しかしながら、場合によっては開き面１１ａ，１１ａが略同一平面となるように、完全に開かせることも可能である。
【００１５】
このような開き面１１ａ，１１ａ，２１ａ，２１ａの上方の位置には、図５に示されるごとく、四角形状の底部形成シート３０であって、中央に折り線３０ａを有するものが搬送される。この折り線３１によって折り角θ２が形成され、この折り角θ２は、前記袋本体の折り込み角度θ１と略同程度とされる。この底部形成シート３０の大きさは、本実施例では開き面１１ａ，１１ａの４つのエッジで構成される大きさと同程度とされているが、もちろんこの４つのエッジで構成される大きさよりも大きくしてもよい。
【００１６】
次いで、図６に示されるように、四角形状の底部形成シート３０を、該シート３０の４隅と開き面１１ａ，１１ａの４つのエッジとが略一致するように載置する。これは、底部形成シート３０の折り線３１と、袋本体部１０の口部端Ｈ，Ｈ同士を結ぶ直線Ｋとを位置合せすれば、容易に出来る。次いで、図７に示されるように、基線Ｋを軸として開き面を閉じるように折り畳む。しかる後、載置された底部形成シート３０の周縁全体がヒートシールされるように熱板が押し当てられる（図中の斜線で示される部分）。この場合には、通常、袋本体部のサイドヒートシールが行なわれる。しかる後、袋本体部の両脇から突出した、タブ２９，２９を袋本体部の縦方向端部に沿って切り落とし、さらに、袋本体部の底部側のはみ出し部２８をラインＦに沿って横方向に切り落とし自立袋を完成させる（図８）。このようにして形成された自立袋を反転し、内部を広げて自立させた状態が図９に示される。
【００１７】
このようにして形成された自立袋の中に内容物を収納する場合は、通常、開放状態にある袋の開口部から内容物が充填される。その後、その開口部を融着シールするか、あるいは注出部材を設けるかする。また、開口部は必要に応じてそのままにしておいてもよく、融着シール、あるいは注出部材の取り付けを省いて図９に示されるままの単なる袋として用いてもよい。
【００１８】
なお、図１に示されるような筒状の袋本体部は、図１０に示されるように平面部シート５１，５１と、折り襞状に内方に折り込まれた折り線７３，７３を備えるように形成された２つの側面シート７１，７１とを互いに対向するように貼り合せて形成してもよい。この場合には、例えば、平面部シート５１と側面シート７１との材質を適宜、変えることもできる。
【図面の簡単な説明】
【００１９】
【図１】本発明の自立袋の製造過程の一工程を示す概略斜視図である。
【図２】本発明の自立袋の製造過程の一工程を示す概略斜視図である。
【図３】本発明の自立袋の製造過程の一工程を示す概略斜視図である。
【図４】本発明の自立袋の製造過程の一工程を示す概略斜視図である。
【図５】本発明の自立袋の製造過程の一工程を示す概略斜視図である。
【図６】本発明の自立袋の製造過程の一工程を示す概略斜視図である。
【図７】本発明の自立袋の製造過程の一工程を示す概略斜視図である。
【図８】本発明の自立袋の製造過程の一工程を示す概略斜視図である。
【図９】本発明の自立袋の内部を広げて自立させた状態を示す概略斜視図である。
【図１０】袋本体部を製造する一態様を示す概略斜視図である。
【図１１】従来の自立袋の一例を示した概略斜視図である。
【符号の説明】
【００２０】
１０…袋本体部
１１…平面部
２１…側面
３０…底部形成シート
【図１】
2006036367.tif 000003
【図２】
2006036367.tif 000004
【図３】
2006036367.tif 000005
【図４】
2006036367.tif 000006
【図５】
2006036367.tif 000007
【図６】
2006036367.tif 000008
【図７】
2006036367.tif 000009
【図８】
2006036367.tif 000010
【図９】
2006036367.tif 000011
【図１０】
2006036367.tif 000012
【図１１】
2006036367.tif 000013